(57)【要約】  本発明は、セキュリティ特徴１０２と光学素子１０８とを備える文書に関する。セキュリティ特徴は光学素子の前方に配置されており、光学素子は、該セキュリティ特徴の検査のために、少なくとも第１の光学状態と第２の光学状態との間で切り替え可能である。セキュリティ特徴は、第１の状態及び第２の状態のうちの一方のみにおいて光学的に検査可能である。【選択図】図１
2010524070.tif 000002
【特許請求の範囲】
【請求項１】
セキュリティ特徴（１０２）と光学素子（１０８）とを備える文書であって、該セキュリティ特徴は該光学素子の前方に配置されており、該光学素子は、該セキュリティ特徴の検査のために、少なくとも第１の光学状態と第２の光学状態との間で切り替え可能であり、前記セキュリティ特徴は、前記第１の状態及び前記第２の状態のうちの一方のみにおいて光学的に検査可能であり、前記セキュリティ特徴は、前記光学素子の前記第１の状態又は前記第２の状態のみにおいて視覚的に知覚可能であるように形成されている、文書。
【請求項２】
前記光学素子は、エネルギーの供給によって、該光学素子の第１の状態と該光学素子の第２の状態との間で切り替え可能である、請求項１に記載の文書。
【請求項３】
前記光学素子は、電気泳動表示装置、エレクトロクロミック表示装置、静電表示装置、回転要素表示装置、エレクトロウェッティング表示装置、強誘電表示装置、及び／若しくは、特にコレステリック液晶材料若しくはネマチック液晶材料を有する液晶表示装置、例えばマイクロシャッタアレイのような微小電子機械システム（ＭＥＭＳ）、並びに／又は、強誘電材料若しくは干渉変調器に基づく表示装置、有機発光ダイオード若しくは有機発光ダイオードディスプレイを含む、請求項１又は２に記載の文書。
【請求項４】
前記セキュリティ特徴は、ホログラム、特に体積ホログラム、反射ホログラム、透過ホログラム、フーリエホログラム、ディスプレイホログラム、ルミネセンスマーク、偏光の反射のための反射器、特定のスペクトル領域の光の吸収のための吸光器、波縞、マイクロ文字、条件等色システム、蛍光色、燐光色、及び／若しくはアップコンバージョン色を有する印刷テキスト、赤外色を有する印刷テキスト、光学可変インク（ＯＶＩ）、キネグラム（透明又は反射性）、透かし、バーコード、レジストレーションプリント、透明窓、斑繊維、セキュリティスレッド、並びに／又はマイクロパーフォレーションである、請求項１から３のいずれか一項に記載の文書。
【請求項５】
前記セキュリティ特徴は、光学的に読み出し可能な且つ／又は光学的に認知的に捉えることが可能なデータを有する、請求項１から４のいずれか一項に記載の文書。
【請求項６】
前記データはバイオメトリックデータ及び／又は個人データである、請求項５に記載の文書。
【請求項７】
前記光学素子を切り替えるための集積電子回路（１１４）を備える、請求項１から６のいずれか一項に記載の文書。
【請求項８】
前記光学素子は、該光学素子の第１の状態において入射放射を吸収し、該光学素子の第２の状態において入射放射を反射する、請求項１から７のいずれか一項に記載の文書。
【請求項９】
前記セキュリティ特徴は、第１のスペクトル領域（１２２''）における反射のために且つ第２のスペクトル領域（１２２'、１２２'''）における透過のために形成されており、前記光学素子は、該光学素子の第１の状態において、少なくとも前記第２のスペクトル領域において吸光効果を有し、該光学素子の第２の状態において、少なくとも前記第２のスペクトル領域において反射効果を有するように形成されている、請求項８に記載の文書。
【請求項１０】
前記セキュリティ特徴は、第１のスペクトル領域における放射の反射、散乱、又は生成のために形成されており、前記光学素子は、該光学素子の第２の状態において、前記第１のスペクトル領域における反射のために形成されている、請求項８に記載の文書。
【請求項１１】
前記セキュリティ特徴は、第１のスペクトル領域においてルミネセンスを発するマークであり、前記光学素子は、該光学素子の第１の状態において、ルミネセンスを発せず、該光学素子の第２の状態において、前記第１のスペクトル領域においてルミネセンスを発する、請求項１から１０のいずれか一項に記載の文書。
【請求項１２】
前記セキュリティ特徴は第１の色を有し、前記光学素子は該光学素子の第１の状態において、前記第１の色とは異なる第２の色を有し、前記光学素子は該光学素子の第２の状態において、前記第１の色に対して条件等色である第３の色を有する、請求項１から１１のいずれか一項に記載の文書。
【請求項１３】
暗号プロトコルを実施すると共に、該暗号プロトコルの条件が満たされるときに前記光学素子を駆動する集積電子回路（１１４）を備える、請求項１から１２のいずれか一項に記載の文書。
【請求項１４】
重要文書又はセキュリティ文書、特に旅行文書又は証明書、チップカード、資格証明書、支払手段等である、請求項１から１３のいずれか一項に記載の文書。
【発明の詳細な説明】
【技術分野】
【０００１】
本発明は、セキュリティ特徴を有する文書、特に重要文書又はセキュリティ文書、このような文書のための読み取り装置、及びセキュリティ特徴を読み取る方法に関する。
【背景技術】
【０００２】
当該技術水準から、重要文書又はセキュリティ文書のための様々なセキュリティ特徴が既知である。これらのセキュリティ特徴には、ユーザによって視覚的に且つ／又は光センサによって機械的に捉えることが可能な光学セキュリティ特徴が含まれる。
【０００３】
光学セキュリティ特徴として例えば以下が挙げられる：
波縞：波縞は、いわゆる線印刷によって文書上に印刷される。波縞は通常、様々な色において重なり合って印刷される波及び縞の模様から成る。
マイクロ文字：これは、極めて小さい文字における印刷された筆跡である。肉眼ではマイクロ文字はほとんど認識することができない。例えば、マイクロ文字は、ユーロ紙幣に画素としてモチーフ内に組み込まれている。拡大鏡を用いてマイクロ文字を読み取ることができる。
条件等色システム：条件等色による色同一性に起因して、光の異なるスペクトル組成が人に対して同じ色印象を抱かせることができ、例えば、カラーフィルタ又は可変照明源を用いて該スペクトル組成を光学的に知覚可能にすることができる。
蛍光色、燐光色、及び／又はアップコンバージョン色を有する印刷テキスト。
赤外色を有する印刷テキスト：この色は、赤外線放射下においてのみ、読み取り装置が対応するセンサによって検出可能である。例えばユーロ紙幣はこの光学セキュリティ特徴を備えている。
バーコード、特に１次元又は２次元のバーコード。単色又はカラーである。
光学可変インク（ＯＶＩ）：光学可変インクでは、観察角度に応じて色印象が変化する。これは、光が顔料において屈折、散乱、又は反射するためである。
ホログラム及びキネグラム（透明又は反射性）
透かし
可視の且つ／又は機械的に読み出すことが可能な情報を有するデジタル透かし
レジストレーションプリント（Passerdruck: registration print：見当プリント）：様々な模様又は記号が、特定の画像を共同で生成するように重なり合って又は相並んで印刷される。位置のずれ、すなわちいわゆるレジストレーション誤差はほんのわずかであっても肉眼で容易に認識することができる。例えば紙幣のような文書の両面に部分画像が存在する場合、この光学セキュリティ特徴は透かしレジストレーション（Durchsichtspasser: looking-through registration）と呼ばれる。
透明窓（Durchsichtsfenster: looking-through window）：透明なプラスチック箔から成る窓が文書内に組み込まれる。
斑繊維（Melierfasern: mottled fibers）：文書の紙に、ＵＶ光下で様々な色を発する繊維が混合される。
セキュリティスレッド
マイクロパーフォレーション
【０００４】
特許文献１から、ルミネセンス素子を備えた有価・偽造防止製品が既知である。真偽判定手段として形成されている層の下にルミネセンス素子が配置されており、それによって、視覚的又は機械的な光学的真偽判定を全ての照明条件下で実施することができる。これによって、別個の放射源を必要とせずに真偽判定が暗がりにおいても可能となる。しかしながら、放射源を用いると、真偽判定手段は、ルミネセンス素子の状態に依存せずにいずれの場合においても判定可能である。
【０００５】
出願時には公開されていない、同一出願人による特許出願である特許文献２は、セキュリティ特徴の前方に配置されている光学素子を備える文書を開示している。光学素子は、該光学素子の下に配置されているセキュリティ特徴を覆い、それによって、光学素子が該光学素子の不透明状態にある限りセキュリティ特徴はユーザには不可視である。セキュリティ特徴の検査のために、光学素子は透明状態に移行させられる。
【先行技術文献】
【特許文献】
【０００６】
【特許文献１】独国特許出願公開第１９７  ３５  ２９３号
【特許文献２】独国特許出願第１０  ２００６  ０５９  ８６５．２−５５号
【発明の概要】
【発明が解決しようとする課題】
【０００７】
本発明は、公開されている当該技術水準に対して、改良された文書、並びにこのような文書のための読み取り装置及び方法を作成するという課題に基づく。
【課題を解決するための手段】
【０００８】
本発明が基づく課題はそれぞれ、独立特許請求項の特徴によって解決される。本発明の好ましい実施の形態は従属特許請求項において提示されている。
【０００９】
本発明によって、例えば重要文書またはセキュリティ文書、特に支払手段、チップカード、証明書、資格証明書、支払手段等のような、光学セキュリティ特徴を有する文書が作成される。該文書は紙ベース且つ／又はプラスチックベースで実現することができる。
【００１０】
本発明による文書はセキュリティ特徴を有し、該セキュリティ特徴は、該セキュリティ特徴を観察するか又は機械的に捉えるための放射の入射方向において光学素子の前方に配置されている。光学素子は第１の状態と第２の状態との間で切り替え可能であり、これらの状態において該光学素子はそれぞれ異なる光学特性を有する。例えば、光学素子は該光学素子の第１の状態において、その前方にあるセキュリティ特徴が光学的に捉えられることが可能である、セキュリティ特徴に対する背景を生成する。これに対して、光学素子は、例えば該光学素子の第２の状態では、その前方にあるセキュリティ特徴が視覚的且つ／又は機械的に光学的に捉えられることができない、セキュリティ特徴に対する背景を生成する。
【００１１】
光学素子を双方の状態のうちの一方にすることがセキュリティ特徴の検査に必要であることによって、さらなるセキュリティ特徴が与えられる。これは、文書の光学セキュリティ特徴の検査が、例えばユーザが読み取り装置を用いて光学素子を切り替えることができることを前提とするためである。さらに、本発明による文書は高い偽造耐性を有するように形成することができる。これは、該文書の再調整が、従来のセキュリティ印刷技術を用いても、またデジタル技術を単独で用いても不可能であるためである。
【００１２】
本発明の１つの実施の形態によれば、光学素子の状態のうちの一方は、セキュリティ特徴を光学的に捉えることができない通常状態である。エネルギーの供給によって、光学素子は少なくとも一時的に、セキュリティ特徴を光学的に捉えることができる、該光学素子の別の状態へと移行する。
【００１３】
本発明の１つの実施の形態によれば、光学素子は、該光学素子が透過効果を有する第１の状態と、該光学素子が反射性を有する第２の状態とを有する。光学素子が該光学素子の透過状態にあるときにのみ、文書の裏面においてセキュリティ特徴の検査が可能である。
【００１４】
本発明の１つの実施の形態によれば、光学素子は、エネルギーの供給によって、該光学素子の第１の状態から該光学素子の第２の状態に、及び／又は該光学素子の第２の状態から該光学素子の第１の状態に切り替え可能である。エネルギーは、光学素子の実施の形態に応じて、直接、例えば電磁場によって光学素子に供給することができ、それによって、該光学素子は、該光学素子の第２の実質的に透明な状態になる。
【００１５】
しかしながら、エネルギーの供給は、例えば接触型インタフェース、非接触型インタフェース、又はデュアルモードインタフェース、特にチップカードインタフェース又はＲＦインタフェースのような別個の結合素子を介して行うこともできる。結合素子は、例えば、光学素子を該光学素子の第２の実質的に透明な状態に切り替える電圧の誘導的供給のための、例えばアンテナ又はコイルとすることができる。
【００１６】
本発明の１つの実施の形態によれば、光学素子は双安定である。すなわち、光学素子は、切り替えられない限り、該光学素子のそれぞれの状態に留まる。したがって、このような双安定光学素子の場合、該光学素子を、光学セキュリティ特徴の検査後に、該光学素子の第２の実質的に透明な状態から、再び該光学素子の第１の実質的に不透明な状態に切り替えて戻すことが必要である。これは、文書の対応する回路によって且つ／又は例えば外部読み取り装置からのエネルギーの新たな供給によって行うことができる。
【００１７】
本発明の１つの実施の形態によれば、光学素子は準双安定である。したがって、光学素子は該光学素子の第１の状態に留まる。光学素子が該光学素子の第２の状態に切り替えられた後、該光学素子は、この第２の状態に特定の時間にわたって留まり、その後、自動的に再び第１の状態に戻る。この実施の形態は、文書の光学セキュリティ特徴の検査のために特定の期間の間光学素子を該光学素子の第２の状態にシフトするのに切り替え動作は１回しか必要でなく、そして光学素子が該第２の状態から、さらなる切り替え動作を必要とせずに自動的に再び第１の状態に戻るという利点を有する。第１の状態を実質的に反射性にすると共に、第２の状態を実質的に吸光性にすることができる。さらなる実施の形態では、第１の状態を実質的に吸光性にすると共に、第２の状態を実質的に反射性にすることができる。さらなる実施の形態では、第１の状態を実質的に不透明にすると共に、第２の状態を実質的に透明にすることができ、又はその逆も可能である。
【００１８】
本発明の１つの実施の形態によれば、光学素子は、第１の回転位置において光を吸収するように作用すると共に第２の回転位置において光を通過させる回転要素を備える双安定回転要素ディスプレイを含み、それによって、回転要素が該回転要素の第１の回転位置にあるとき、文書の光学セキュリティ特徴は隠される。
【００１９】
本発明の１つの実施の形態によれば、光学素子は、第１の回転位置において光を吸収するように作用すると共に第２の回転位置において反射性を有する回転要素を備える双安定回転要素ディスプレイを含み、それによって、回転要素が該回転要素の第１の回転位置にあるとき、文書の光学セキュリティ特徴は認識可能にならない。
【００２０】
１つの実施の形態によれば、光学素子は電気泳動表示装置又はエレクトロクロミック表示装置を含む。
【００２１】
本発明の１つの実施の形態によれば、光学素子は、静電ウェッティング素子、すなわちいわゆるエレクトロウェッティング表示装置を含む。
【００２２】
本発明の１つの実施の形態によれば、光学素子は、特にコレステリック液晶材料又はネマチック液晶材料を有する液晶表示装置を含む。
【００２３】
本発明の１つの実施の形態によれば、光学素子は、例えばCitala社（http://www.citala.com）から発売されているようなフレキシブルディスプレイを含む。
【００２４】
本発明の１つの実施の形態によれば、光学素子は、例えばFlixel社（www.flixel.com）から発売されているようなマイクロシャッタアレイのような微小電子機械システム（ＭＥＭＳ）を含む。
【００２５】
本発明の１つの実施の形態によれば、光学素子は、強誘電材料に基づく表示装置を含む。
【００２６】
本発明の１つの実施の形態によれば、光学素子は、有機発光ダイオードに基づく表示装置を含む。
【００２７】
光学素子を形成する表示装置は、例えばマトリクス状表示素子を含むことができる。しかしながら、表示素子は必ずしも個別に駆動する必要はなく、該表示素子をそれぞれ、第１の実質的に不透明の状態又は第２の実質的に透明な状態にシフトするには、表示素子の集団的な駆動で十分である。
【００２８】
光学素子を形成する表示装置は、例えばマトリクス状表示素子を含むことができる。しかしながら、表示素子は必ずしも個別に駆動する必要はなく、該表示素子をそれぞれ、第１の実質的に非反射性の状態又は第２の実質的に反射性の状態にシフトするには、表示素子の集団的な駆動で十分である。
【００２９】
本発明の１つの実施の形態によれば、文書の光学セキュリティ特徴は、波縞、マイクロ文字、条件等色システム、蛍光色、燐光色、及び／若しくはアップコンバージョン色を有する印刷テキスト、赤外色を有する印刷テキスト、光学可変インク（ＯＶＩ）、ホログラム若しくはキネグラム（透明又は反射性）、透かし、レジストレーションプリント、透明窓、透かしレジストレーションの一部、透過ホログラム、可視光のスペクトルから波長を選択的に通すホログラフィックフィルタ若しくは他の透過素子、斑繊維、セキュリティスレッド、並びに／又はマイクロパーフォレーションである。
【００３０】
本発明の１つの実施の形態によれば、セキュリティ特徴は光学的に読み出し可能な情報を含む。例えば、セキュリティ特徴は、デジタル透かし又は１次元若しくは２次元のバーコードである。透かし及びバーコードはそれぞれ、文書上に印刷することができる。
【００３１】
本発明の１つの実施の形態によれば、セキュリティ特徴は、光データ記憶装置、特にホログラフィックデータ記憶装置によって特にプラスチックベースで形成される。
【００３２】
本発明の１つの実施の形態によれば、セキュリティ特徴は、例えば顔データ、指紋データ、及び／又は虹彩スキャンデータのようなバイオメトリックデータを記憶する。例えば、文書は、特にＩＣＡＯ（国際民間航空機関）標準規格による機械可読旅行文書（ＭＲＴＤ）である。バイオメトリックデータは、ＭＲＴＤの所持者のバイオメトリックデータとすることができる。
【００３３】
本発明の１つの実施の形態によれば、セキュリティ特徴は、いわゆる基本アクセス制御内で使用することができるデータを記憶する。例えば、文書は、光学的に読み取り可能なデータが記憶されている機械読み取り領域（ＭＲＺ）を有する。これらのデータ、該データの暗号、又は該データのハッシュ値はセキュリティ特徴内に記憶することができる。
【００３４】
本発明の１つの実施の形態によれば、文書は、光学素子を駆動するための集積電子回路を含み、それによって、該光学素子を該光学素子の第１の状態から第２の状態に及び／又は該光学素子の第２の状態から該光学素子の第１の状態に移行させ、セキュリティ特徴への光学的アクセスが行われた後、該光学素子を必要に応じて、セキュリティ特徴の検査が可能である該光学素子の状態から再び該光学素子の通常状態に移行させる。
【００３５】
集積電子回路はインタフェースを備えるか又はインタフェースに接続することができ、該インタフェースを介して、該集積電子回路の作動及び光学素子の駆動のためのエネルギーが接触を伴わずに又は接触を伴って供給される。特に、インタフェースはチップカード又はＲＦインタフェースとすることができる。
【００３６】
さらなる一態様では、本発明は、本発明による文書のための読み取り装置に関する。読み取り装置は、光学素子の第１の状態及び第２の状態間の切り替えを開始する手段を有し、それによって、文書のセキュリティ特徴への光学的アクセスを可能にする。
【００３７】
さらなる態様では、本発明は、本発明による文書のセキュリティ特徴を読み取る方法に関する。
【００３８】
以下において、本発明の実施例を図面を参照してより詳細に説明する。
【図面の簡単な説明】
【００３９】
【図１】本発明による文書の１つの実施形態のブロック図である。
【図２】本発明による文書のさらなる実施形態のブロック図である。
【図３】本発明による文書及び本発明による読み取り装置のさらなる実施形態のブロック図である。
【図４】光学素子が該光学素子の第１の状態にあるときの、本発明による文書のさらなる実施形態の断面図である。
【図５】光学素子が該光学素子の第２の状態にあるときの、図４の実施形態である。
【図６】セキュリティ特徴が線パターンを有する、詳細には光学素子が該光学素子の第１の状態にあるときの、本発明による文書のさらなる実施形態の断面図である。
【図７】光学素子が該光学素子の第２の状態にあるときの、図６の実施形態である。
【図８】セキュリティ特徴が体積ホログラムとして形成されており、光学素子が該光学素子の第１の状態にある、本発明による文書のさらなる実施形態の断面図である。
【図９】光学素子が該光学素子の第２の状態にあるときの、図８の実施形態である。
【図１０】光学素子が該光学素子の第１の状態にある、本発明による文書のさらなる実施形態の断面図である。
【図１１】光学素子が該光学素子の第２の状態にあるときの、図１０の実施形態である。
【図１２】光学素子が該光学素子の第１の状態にある、本発明による文書のさらなる実施形態の断面図である。
【図１３】光学素子が該光学素子の第２の状態にある、図１２の実施形態である。
【図１４】光学素子が該光学素子の第１の状態にある、本発明による文書のさらなる実施形態の断面図である。
【図１４ｂ】光学素子が該光学素子の第１の状態にある、本発明による文書のさらなる実施形態の断面図である。
【図１５】光学素子が該光学素子の第２の状態にある、図１４の実施形態である。
【図１５ｂ】光学素子が該光学素子の第２の状態にある、図１４ｂの実施形態である。
【図１６】本発明による文書のさらなる実施形態、及び本発明による読み取り装置のさらなる実施形態のブロック図である。
【図１７】本発明による方法の１つの実施形態の流れ図である。
【発明を実施するための形態】
【００４０】
以下の図面の説明では、様々な実施形態の互いに対応する要素は同じ参照符号を付される。
【００４１】
図１は、本発明による文書１００の１つの実施形態の概略断面図である。文書１００はセキュリティ特徴１０２を有し、該セキュリティ特徴は、当該技術水準から既知の任意の光学セキュリティ特徴とすることができる。セキュリティ特徴１０２は文書１００上に配置されているか、又は文書１００の本体内に埋め込まれており、それによって、文書１００の裏面１０４からは該セキュリティ特徴は不可視である。しかしながら、文書の裏面１０４は透明に形成することもでき、それによって、セキュリティ特徴１０２は、光学素子１０８の状態に応じて裏面１０４から可視となる。これは、セキュリティ特徴１０２が、透かしレジストレーション、透かしレジストレーションの一部、透過型ホログラム、可視光のスペクトルから波長を選択的に通すホログラフィックフィルタ、透明窓、又は他の透過素子である場合に特に有利である。
【００４２】
セキュリティ特徴１０２の後方には、文書１００の本体内に光学素子１０８が配置されている。光学素子１０８は、少なくとも２つの異なる状態間で切り替え可能である。これらの状態において、光学素子１０８はそれぞれ異なる光学特性を有する。例えば、光学素子１０８は、セキュリティ特徴１０２に対する異なる背景を生成するのに用いられ、これらの背景の前方では、セキュリティ特徴１０２を光学的に捉えることができるか又は光学的に捉えることができない。さらに、光学素子１０８は、例えば、該光学素子の第１の状態において入射放射に対して吸光効果を有する一方、該光学素子の第２の状態では反射性を有する。
【００４３】
読み取り装置１１２はエネルギー源として形成することができる。該エネルギー源から、光学素子１０８にエネルギーが供給され、それによって、該光学素子が切り替えられる。光学素子１０８が準双安定光学素子である場合、特定の期間の間、光学素子１０８を特定の状態に移行させるには単一のエネルギーパルスで十分であり得る。そして、この期間が満了した後、該光学素子は該状態から自動的に元に戻る。これに対して、光学素子１０８が双安定光学素子である場合、該光学素子を再び該光学素子の元の状態に移行させるにはさらなるエネルギーパルスが必要である可能性がある。
【００４４】
さらに、光学素子１０８は、該光学素子１０８を特定の状態に保つのに絶えずエネルギーを供給する必要があるように形成することもできる。エネルギーの供給が途絶えると、このような実施形態では、光学素子１０８は直ぐに、再び該光学素子の開始状態に戻る。
【００４５】
例えば、光学素子１０８は、双安定回転要素ディスプレイとして、又は例えば国際公開ＷＯ０３／００９０５９号パンフレットからそれ自体が既知であるような双安定電気泳動ディスプレイとして形成することができる。準双安定の実施形態の場合、光学素子１０８は、例えば電気泳動ディスプレイを備える表示装置を含む。光学素子１０８を該光学素子の第２の状態に保つためにエネルギーを常に供給する必要がある実施形態の場合、該光学素子はＬＣＤディスプレイを含むことができる。
【００４６】
例えば、光学素子１０８は、帯電又は帯磁した回転要素を含む。読み取り装置１０２から対応する電磁場を放射することによって、回転要素を、光学素子１０８が該光学素子の第１の状態と該光学素子の第２の状態との間で切り替え可能であるように動かすことができる。したがって、このような実施形態では、エネルギーは光学素子１０８に直接供給される。
【００４７】
図２は、光学素子１０８の駆動のためにエネルギーを供給する結合素子１１４を備える、本発明による文書１００の代替の実施形態を示す。結合素子１１４は、接触型、非接触型、又はデュアルモードのインタフェースとして、特にチップカードインタフェース又はＲＦインタフェースとして実現することができる。例えば、結合素子１１４はアンテナ又はコイルとすることができ、それによって、例えば、光学素子１０８を該光学素子の第２の状態にシフトする電圧を誘導的に供給する。
【００４８】
例えば、結合素子１１４は導線１１６によって光学素子１０８に接続しており、それによって、該光学素子を駆動すると共に必要な場合に該光学素子にエネルギーを供給する。このような装置は、該装置を壊さずに文書１００から取り外して別の文書本体に入れることができないため、改竄に対するセキュリティが高いという利点を提供する。これは特に、導線１１６が文書本体内に延在する場合に該当する。ここで、文書１００の文書本体は、例えば紙ベースの旅行文書又はチップカードの形態において、紙ベース且つ／又はプラスチックベースで実現することができる。
【００４９】
図３は、本発明による読み取り装置１１２の１つの実施形態を示す。読み取り装置１１２は、例えば接触型又は非接触型のインタフェースを介してエネルギーを結合素子１１４に供給するためのエネルギー源１１８を有する。読み取り装置１１２はさらに、文書１００のセキュリティ特徴１０２を光学的に検査するための読み取り光線１２２を生成する放射源１２０を有する。
【００５０】
セキュリティ特徴を光学的に捉えるために、読み取り装置１１２は、例えば光センサ１２４及び１２６のような１つ又は複数の光センサを有する。光センサ１２４は、文書１００に対して、放射源１２０と同じ側に配置されており、それによって、読み取り光線１２２に起因してセキュリティ特徴１０２及び場合によっては光学素子１０８によって反射される放射１２８を捉えるように形成されている。これに対して、光センサ１２６は、文書１００の裏面１０４に対して配置されており、それによって、透過放射１３０、すなわち、セキュリティ特徴１０２及び光学素子１０８を透過した、読み取り光線の部分を捉える。図３に示されるように、読み取り装置１１２において、文書１００を収容する収容領域１３２を形成することができる。
【００５１】
光センサは記号的に示されている。特に、例えばいわゆる「回折領域符号（Diffractive Area Codes）」から生じるような、広範囲に反射されるパターンを検出するために複数のセンサを配置することが可能である。さらに、センサは、例えばビームスプリッタのようなさらなる光学補助手段を介して方向付けることができ、それによって、放射源１２０の方向に反射される光も検出することができる。
【００５２】
読み取り装置１１２は、読み取り装置１１２の様々な構成要素を制御するためのプログラム命令１２１及び光センサ１２４によって且つ／又は光センサ１２６によって送信される信号を評価するためのプログラム命令１２３を実施するプロセッサ１１９を有する。さらに、プロセッサ１１９は読み取り装置１１２のインタフェース１２５を駆動することができる。該インタフェースはユーザインタフェース及び又はネットワークインタフェースとすることができる。インタフェース１２５を介して、評価に基づいて得られたデータ及び／又は文書１００から読み取られた他のデータを出力することができる。
【００５３】
図４は、本発明による文書１００の１つの実施形態の断面を示す。文書は、プラスチックベース及び／又は紙ベースとすることができると共にさらなるセキュリティ特徴、印刷テキスト等を含むことができる支持体１３４を有する。支持体１３４上には光学素子１０８が配置されている。図４は、該光学素子の第１状態における光学素子１０８を示し、該状態においては該光学素子は吸光効果を有する。
【００５４】
光学素子１０８の上にさらなる層１３６を配置することができ、該層上に光学セキュリティ特徴１０２が存在している。通常、文書１００はさらに、セキュリティ特徴１０２の上に存在する保護層１３８を備えることができる。
【００５５】
ここで考察している実施形態では、セキュリティ特徴１０２は、例えば緑色光のような特定のスペクトル領域の放射を反射するように作用する一方、可視領域内の他のスペクトル成分、すなわち特に、赤色光及び青色光を透過させるように作用するように形成されている。例えば、セキュリティ特徴１０２は体積ホログラムとして形成することができる。
【００５６】
図４は、読み取り光線１２２の赤色成分１２２'、緑色成分１２２''、及び青色成分１２２'''を例示的に示す。赤色成分１２２'及び青色成分１２２'''は、セキュリティ特徴１０２がこれらのスペクトル領域において透過性を有するため、セキュリティ特徴１０２を透過し、光学素子１０８によって吸収される。これに対して、緑色成分１２２''はセキュリティ特徴１０２によって反射され、それによって、反射放射１２８は、緑色成分１２２''のセキュリティ特徴１０２によって反射された部分から成る。したがって、この反射放射１２８は、ユーザ１１０（図１及び図２を参照されたい）に緑色の色印象、すなわち像１１１をもたらす。
【００５７】
図５は、光学素子１０８が該光学素子の別の状態に切り替わった後の文書１００を示す。光学素子１０８は、図４に示される該光学素子の第１の状態において黒の背景を生成する一方、図５に示される該光学素子の第２の状態では白の又は反射性の（反射をもたらす）背景を生成する。この状態では、光学素子１０８は反射器として作用する。
【００５８】
これによって、読み取り光線１２２の、セキュリティ特徴１０２によって反射されるのではなく該セキュリティ特徴を透過する部分が、光学素子によって散乱させられるか又は反射され、それによって、結果的に、読み取り光線１２２全体が文書から出射することができるか又は直接反射される。したがって、１２８の方向に散乱する放射はもはや緑色のスペクトル領域のみからなるのではなく、付加的に存在する赤色成分及び青色成分によって明白な色シフトを受け、それによって、セキュリティ特徴１０２は知覚可能でないか又はほとんど知覚可能でない。したがって、反射放射１２８はこの場合、読み取り光線１２２の、反射された赤色成分１２２'、緑色成分１２２''、及び青色成分１２２'''から成る。これによって、全体的に、例えば像１１１の概ね白の色印象がユーザ１１０にもたらされ、それによって、セキュリティ特徴１０２は知覚可能でない。
【００５９】
図４及び図５の文書１００の実施形態は、セキュリティ特徴１０２が体積反射ホログラムである場合に特に有利である。これは、体積反射ホログラムが暗い背景に存在することによって、該体積反射ホログラムの可視性が大幅に向上するためである。したがって、例えばフルカラーホログラムは、ホログラフィック記録媒体の特性を適切に選択して、例えば材料厚さを約１０μｍに、屈折率変調を１０−３から１０−２にした場合、白い背景においては非常に見えにくいが、黒い背景においては非常に良く見える。したがって、図４及び図５の実施形態では、光学素子が該光学素子の吸光性の、すなわち黒い状態にあるときに、体積ホログラムとして形成されるセキュリティ特徴１０２に関してコントラストを向上させることができる。
【００６０】
光学素子１０８は、２つの異なる色の間で切り替え可能であるように形成することができる。例えば、光学素子１０８は、セキュリティ特徴１０２の観察のために黒い背景を作成するために、該光学素子の第１の状態では黒くなるように形成することができる。これに対して、光学素子１０８は、該光学素子の第２の状態では、セキュリティ特徴１０２が入射読み取り光線１２２を反射するか又は散乱させる色と概ね同じ色を有する。この場合、セキュリティ特徴の構造はユーザ１１０には不可視である。これは、光学素子が該光学素子の第２の状態にあるときに、光学素子１０８によって作成される背景がセキュリティ特徴１０２と同じ色を有するためである。
【００６１】
セキュリティ特徴１０２は、特定の色の放射を自身で生成するアクティブ放射源として形成することもできる。この場合においても、光学素子１０８は、該光学素子の第１の状態においてセキュリティ特徴１０２とは別の色、したがって例えば黒を有し、該光学素子の第２の状態において、セキュリティ特徴１０２が放射を放つのに用いる色と実質的に同じ色を有するように形成することができる。この実施形態は、読み取り光線１２２が必ずしも必要でないという利点を有する。
【００６２】
例えば、セキュリティ特徴１０２は、ルミネセンスマークとすることができる。ルミネセンスマークは特定の色を有する放射を放出する。この場合、光学素子１０８は、該光学素子の第１の状態において例えば黒であり、該光学素子の第２の状態では、セキュリティ特徴１０２が放射を放出する色と概ね同じ色を有する。
【００６３】
例えば、セキュリティ特徴１０２は、ルミネセンスマークとすることができる。ルミネセンスマークは特定の色を有する放射を放出する。この場合、光学素子１０８は、該光学素子の第１の状態において例えば黒であり、該光学素子の第２の状態では、セキュリティ特徴１０２が放射の放出のために励起する光を放出する。
【００６４】
ルミネセンスセキュリティ特徴１０２を有するさらなる実施形態では、該ルミネセンスセキュリティ特徴は、光学素子１０８の第１の切り替え状態の色印象に対応する色印象を有する光を放出する。しかしながら、第２の切り替え状態では、光学素子１０８は別の色印象を有し、それによって、該ルミネセンスセキュリティ特徴を知覚することはできない。
【００６５】
ルミネセンスセキュリティ特徴１０２を有する第３の実施形態では、該ルミネセンスセキュリティ特徴は、光学素子１０８の第１の切り替え状態の色印象に対応する色印象を有する光を放出する。しかしながら、第２の切り替え状態では、光学素子１０８は、別の色印象、特に好ましくは対比色又は補色を有する光を放出し、それによって、セキュリティ特徴１０２を容易に検証することができる。
【００６６】
さらに、光学素子１０８は好ましくはアクティブ放射源として形成することができる。例えば、光学素子は該光学素子の第１の状態ではルミネセンスを発しない、すなわち例えば黒い。これに対して、光学素子１０８は該光学素子の第２の状態ではルミネセンスを発する。ここで、ルミネセンスに基づいて光学素子１０８によって出力される放射は、セキュリティ特徴１０２の放射と同様であるか又は同一である。同じ効果を、有機発光ダイオード又は有機発光ダイオードディスプレイを光学素子１０８として使用することによって達成することができる。
【００６７】
セキュリティ特徴１０２は、光学素子が該光学素子の第２の状態にあるときに光学素子１０８の色に対して条件等色である色を有する印刷テキストから成ることができる。好ましくは光学素子１０８の通常状態であるこの第２の状態では、セキュリティ特徴１０２の印刷されたモチーフは特定の照明条件下のみにおいて観察することができる。セキュリティ特徴１０２の検証のために、特に機械的検証のために、光学素子１０８は短期間で、該光学素子の第２の状態から該光学素子の第１の状態に切り替えられ、ここで、該光学素子は対比色、好ましくは黒又は白を帯びる。
【００６８】
さらなる実施形態によれば、セキュリティ特徴１０２は、第１の偏光方向の線形偏光を反射する色の印刷テキストである。この場合、光学素子１０８は、第２の偏光方向の線形偏光を反射するように構成されている。ここで、第２の偏光方向は第１の偏光方向に対して９０度回転している。したがって、読み取り光線１２２の第１の偏光方向にある成分はセキュリティ特徴１０２によって反射される。一方、読み取り光線１２２の第２の偏光方向にある成分は光学素子１０８によって反射される。
【００６９】
１つの実施形態では、セキュリティ特徴１０２は或る色の印刷テキストから成る。光学素子１０８は、該光学素子がセキュリティ特徴１０２と同じ色を有する状態と、同じ色印象（条件等色の色）を有する色を有する第２の状態との間で切り替わる。さらなる実施形態では、光学素子１０８は、セキュリティ特徴１０２の色と対比色との間で、又はさらなる形態においては、条件等色の色と対比色との間で切り替わることができる。対比色は、特に好ましくは技術的手段を利用せずにセキュリティ特徴を光学的に捉えることを可能にする各色である。
【００７０】
したがって、結果的に、読み取り光線１２２はその全体が文書１００によって反射される。光学素子１０８が第２の偏光方向における線形偏光を反射する、該光学素子の切り替え状態では、セキュリティ特徴１０２は偏光フィルタを用いてしか捉えることができない。セキュリティ特徴１０２を検証するために、特に機械的な検証のために、光学素子１０８を対比色、好ましくは黒又は白に切り替えることができる。代替的に、光学素子１０８は、該光学素子の別の状態において、第１の偏光方向の線形偏光を反射するように形成することもできる。したがって、後者の場合、読み取り光線１２２の第１の偏光方向にある成分のみが依然として文書１００によって反射される。この場合、セキュリティ特徴１０２は偏光フィルタ無しで捉えることができる。
【００７１】
本発明のさらなる実施形態では、セキュリティ特徴１０２は、可視光は吸収するが赤外光は吸収しない色の印刷テキストである。したがって、読み取り光線１２２の可視成分はセキュリティ特徴１０２によって吸収される一方、読み取り光線１２２の赤外成分はセキュリティ特徴１０２によって吸収されるのではなく該セキュリティ特徴を通過する。それによって、読み取り光線の赤外成分は、セキュリティ特徴１０２の下に配置される光学素子１０８に到達することができる。ここで、光学素子１０８は、或る状態において赤外光を吸収し、該光学素子の別の状態では赤外光を吸収するのではなく例えば反射するか又は透過させるように形成されている。したがって、光学素子１０８の切り替え状態に応じて、赤外領域内の信号は、読み取り装置１０２によって検出することができるか又は検出することができない。
【００７２】
本発明のさらなる実施形態では、セキュリティ特徴１０２は、例えば赤外光のような不可視スペクトル成分の光は吸収するが可視光は通過させる色の、全面にはわたらない印刷テキストである。このようなセキュリティ特徴１０２も、光学素子１０８が、赤外光を吸収する状態を有すると共に、赤外光を吸収しない、したがって例えば反射するか又は透過させる別の状態を有する場合に、該光学素子によって検査することができる。この実施形態では、光学素子１０８は該光学素子の双方の状態において、光の可視領域において、同一の、同様の、又は異なる特性を有することができる。
【００７３】
図６は、例えば線パターンのような構造を有するセキュリティ特徴１０２を有する、本発明による文書１００の１つの実施形態を示す。図６は例示的に、セキュリティ特徴１０２の線１４０、１４２、及び１４４を示す。
【００７４】
読み取り光線１２２は、ここで考察する実施形態では、図４及び図５の実施形態におけるように垂直ではなく、図６に示されるように、文書１００に対して傾斜して方向付けられている。読み取り光線１２２がセキュリティ特徴１０２の線のうちの１本に入射する場合、読み取り光線１２２の１つのスペクトル成分が反射され、一方、読み取り光線１２２の他のスペクトル成分は通過する。
【００７５】
図４及び図５の実施例におけるように、これは図６において緑色成分１２２''に関して例示的に示される。したがって、読み取り光線１２２の赤色成分１２２'は、赤色成分１２２'がセキュリティ特徴１０２の線のうちの１本に入射するか否かに関わらずセキュリティ特徴１０２を通る。したがって、赤色成分１２２'は光学素子１０８に到達する。光学素子１０８の図６に示される状態では、該光学素子は吸光効果を有し、それによって、読み取り光線１２２の赤色成分１２２'は文書１００によって完全に吸収される。読み取り光線１２２の他のスペクトル成分、特に青色成分１２２'''に、またセキュリティ特徴１０２の線のうちの１本に入射しない限り緑色成分１２２''にも、対応することが適用される。
【００７６】
読み取り光線１２２の緑色成分１２２''が線のうちの１本、例えば線１４０に入射する場合、反射放射１２８がもたらされる。反射放射１２８に起因して、線パターンの印象１４６、すなわちセキュリティ特徴１０２の線１４０、１４２、１４４、…の像がユーザ１１０にもたらされる。
【００７７】
この実施例は、線パターンが垂直に反射するように形成されており、したがって波長選択性を有しない場合においても機能する。セキュリティ素子１０８が吸光性を有するように切り替えられた場合、高コントラストにおいて線パターンが見られ、セキュリティ素子１０８が反射性を有するように切り替えられた場合、このコントラストは弱まる。
【００７８】
図７は、光学素子１０８が反射効果を有する該光学素子の別の状態にあるときの、図６の実施形態の文書１００を示す。この場合、セキュリティ特徴１０２の線において透過するスペクトル成分、すなわち特に赤色成分１２２'及び青色成分１２２'''は光学素子１０８によって吸収されるのではなく反射される。それによって、線パターン１４６と、赤色成分１１２'及び青色成分１１２'''によって生成される線１５０との重ね合わせから成る変更線パターン１４８がもたらされる。線１５０は、緑色成分１２２''のフェードアウトに起因して概ねマゼンタ色である。
【００７９】
層１３６は、例えば概ね１００μｍの高さを有することができ、したがって、４５度での観察の場合、２００μｍ以下の幅の線と１ミリメートル当たり線が約２．５本以下の厚さとを有する印刷を選択することができる。代替的に、該層は例えば２５０μｍの高さを有することができる。この場合、５００μｍ以下の幅の線を有する印刷を選択することができる。反射器の代わりに、光学素子１０８は、該光学素子の図７に示される状態において白い表面も形成することができる。この場合、マゼンタ色の線１５０は任意の角度から明るさが低減した状態で見られることになるであろう。しかしながら、この実施形態においても、変化する線像としての知覚が依然として得られる。
【００８０】
上記において図４及び図５の実施形態を参照して記載した変形実施形態は、例えば異なる偏光方向、ルミネセンス、及び赤外放射成分に関して、図６及び図７の実施形態において同様に適用することができる。
【００８１】
図８は、セキュリティ特徴１０２が体積ホログラムとして形成されている、文書１００の１つの実施形態を示す。体積ホログラムは、出射観察光線が、標準的な反射条件に従って予期される角度とは別の角度下で観察可能であるように作成される。例えば読み取り光線１２２が約４５度の入射角度で、図８に例示的に示される、セキュリティ特徴１０２の体積ホログラムの像点１５２上に入射する場合、０度、すなわち像点１５３の観察角度下で反射放射１２８がもたらされる。光学素子１０８は、該光学素子の図８に示される状態において吸光効果を有する。すなわち、読み取り光線１２２の赤色成分１２２'及び青色成分１２２'''は光学素子１０８によって吸収される。
【００８２】
図９は、光学素子１０８が反射効果を有する該光学素子の別の状態に切り替わった後の、図８の実施形態における文書１００を示す。この状態では、読み取り光線１２２の赤色成分１２２'及び青色成分１２２'''は光学素子１０８によって吸収されるのではなく反射される。ここで、図９に示されるように出射角度は入射角度と同じである。赤色成分１２２'及び青色成分１２２'''が重なり合うことによって、体積ホログラムの像点１５２からマゼンタ色の追加の点１５４がもたらされる。
【００８３】
図１０及び図１１は、光学素子１０８が、図１０に示されるような吸光状態と図１１に示されるような透明状態との間で切り替え可能である、文書１００の１つの実施形態を示す。セキュリティ特徴１０２の実施形態に応じて、読み取り光線１２２はセキュリティ特徴１０２によって変更されるか又は変更されないままであることができる。例えば、読み取り光線は緑色成分１２２''のみから成り、該緑色成分に対して、文書の構造の他の層、すなわち保護層１３８、層１３６、及び支持体１３４は透明である。光学素子１０８の図１０に示される状態では、セキュリティ特徴１０２を検査することはできない。これは、読み取り光線が完全に吸収されるためである。これに対して、光学素子１０８の図１１に示される状態では、読み取り光線の少なくとも一部が透過し、それによって、対応する透過像１５６がもたらされる。
【００８４】
ここで、セキュリティ特徴１０２は、透かしレジストレーション、透かしレジストレーションの一部、透過ホログラム、可視光のスペクトルから波長を選択的に通すホログラフィックフィルタ、透明窓、又は他の透過素子等とすることができる。
【００８５】
図１２及び図１３は、本発明による文書１００のさらなる実施形態を示す。この実施形態では、光学素子は、図１２に示される吸光状態と図１３に示される透過常態との間で切り替え可能である。図１２に示されるように、光学素子１０８の吸光状態では、図４の実施形態と同様に単一の像１１１が得られる一方、光学素子１０８の透明状態では追加の像１５８が得られる。該追加の像は、ここで例示的に考察される、赤色成分１２２'及び青色成分１２２'''の重ね合わせに基づいて、セキュリティ特徴１０２における緑色成分１２２''の反射に起因してマゼンタ色で現れる。セキュリティ特徴１０２は、ここで考察される実施形態ではホログラムとして形成することができる。
【００８６】
図１４及び図１５は、反射器１６０を備える、本発明による文書の１つの実施形態を示す。ここで、セキュリティ特徴１０２は透過ホログラムとすることができる。光学素子１０８はここで、図１４に示される不透明状態と図１５に示される透明状態との間で切り替わることができる。図１５に示されるように、光学素子１０８が該光学素子の透明状態にあるときにのみ、像１６２が得られる。
【００８７】
光学素子１０８が該光学素子の透明状態にあるときにのみ、光線１２２の透過ホログラムによって回折する部分、すなわち光線１２２ｂが光学素子１０８を通って反射器１６０に入射し、それによって、像１６２が得られる。光線１２２の回折しない部分、すなわち光線１２２ａは対応して動作する。
【００８８】
反射器１６０は反射金属面とすることができる。該反射金属面は、光学素子１０８の構成要素として、例えば光学素子１０８を形成する表示素子の背後電極として形成することができる。光学素子１０８が反射状態と吸光状態との間で切り替え可能である場合、この実施形態において追加の反射器は不要である。
【００８９】
本発明のさらなる実施形態によれば、セキュリティ特徴１０２はフーリエホログラムから成る。フーリエホログラムは、適した波長及び適した入射角度の適切な光による照射の場合に像を投影することができるという特性を有する。この像は例えば、データページ、ロゴ等とすることができる。従来のディスプレイホログラムのレーザ照射が同じ効果を生成することができる。図１４ｂ及び図１５ｂはそれぞれこの特徴を示す。
【００９０】
全ての上述の実施例では、純粋なホログラフィックミラー又は同様の回折構造の代わりに、フーリエホログラム又はディスプレイホログラムを適宜使用することが可能である。
【００９１】
図１６は、本発明による文書１００及び本発明による読み取り装置１１２のさらなる実施形態を示す。ここで考察される実施形態では、文書１００は、例えば電子パスポートのような旅行文書である。文書１００は、いわゆる機械読み取り領域１６４を有する。結合素子１１４はここではＲＦチップとして形成されている。該ＲＦチップは、暗号プロトコルの実施のためのプログラム命令１６６と、光学素子１０８の駆動のためのプログラム命令１６８とを実施するのに用いられる。さらに、ＲＦチップ内に、例えば機密データ又は保護を要するデータ、特に文書１００の所持者のバイオメトリックデータのようなデータ１７０を記憶することができる。
【００９２】
ここで、読み取り装置１１２のプロセッサ１１９は、暗号プロトコルの読み取り装置１１２に関連するステップを実施するプログラム命令１７２を実施するのに用いられる。読み取り装置１１２のエネルギー源１１８はここではＲＦインタフェースとして形成されており、それによって、文書１００のＲＦチップと通信する。光センサ１２４の他に、読み取り装置１１２はさらなる光センサ１７４を備えることができ、それによって、例えばＭＲＺ１６４又は他の光学的に機械的に読み取り可能なデータが捉えられる。
【００９３】
プログラム命令１６６及び１７２によって実施される暗号プロトコルは、例えば、基本アクセス制御（ＢＡＣ）を実施するためのプロトコルとすることができる。ＲＦチップはさらに、ＢＡＣの実施に成功した後になって初めて、プログラム命令１６８によって光学素子１０８が、セキュリティ特徴１０２が読み取り装置１１２によって検査されることができるように駆動されるように形成されている。
【００９４】
したがって、例えば、まずＭＲＺ１６４が光センサ１７４によって捉えられる。このように捉えられたデータから、読み取り装置１１２は、該読み取り装置１１２がＲＦチップによって送信される乱数を暗号化すると共に、ＲＦインタフェースによって暗号をＲＦチップに伝送するのに用いられる鍵を生成する。ＲＦチップはこの暗号を期待値と一致するか否かに関して検査する。暗号が期待値と一致する場合、ＢＡＣは首尾良く合格したとみなされる。
【００９５】
図１７は対応する流れ図を示す。ステップ２００において、読み取り装置と文書との間でＢＡＣプロトコルを実施する。ＢＡＣプロトコルが首尾良く終了した後、ＲＦチップは、文書の光学素子に切り替え信号を出力し、それによって、該光学素子は、文書のセキュリティ特徴が検査可能である状態にシフトする。ステップ２０４において、セキュリティ特徴内に記憶されているデータが読み取り装置によって読み出される。ステップ２０６において、ＢＡＣプロトコルの実施のために文書のＭＲＺから捉えられたデータとの一致を検査する。一致しない場合、読み取り装置はステップ２０８においてエラー報告を出力する。一致する場合、読み取り装置はステップ２１０において、文書内に記憶されているデータにアクセスし、それによって、該データをＲＦを介して読み出す（図１６の実施形態において記憶装置１７０内に記憶されているデータを参照されたい）。
【００９６】
１０２内に記憶されているものが機密データである場合、ＢＡＣの成功に加えて、拡張アクセス制御（ＥＡＣ）の成功を前提条件とすることも可能である。該拡張アクセス制御中、端末は、セキュリティ特徴１０２内に記憶されているデータにアクセスする権利があることを証明する。
【符号の説明】
【００９７】
１００  文書
１０２  セキュリティ特徴
１０４  裏面
１０６  表面
１０８  光学素子
１１０  ユーザ
１１１  像
１１２  読み取り装置
１１４  結合素子
１１６  導線
１１８  エネルギー源
１１９  プロセッサ
１２０  放射源
１２１  プログラム命令
１２２  読み取り光線
１２３  プログラム命令
１２４  光センサ
１２５  インタフェース
１２６  光センサ
１２８  反射放射
１３０  透過放射
１３２  収容領域
１３４  支持体
１３６  層
１３８  保護層
１４０  線
１４２  線
１４４  線
１４６  線パターン
１４８  線パターン
１５０  線
１５２  像点
１５３  点
１５４  点
１５６  透過像
１５８  像
１６０  反射器
１６２  像
１６４  ＭＲＺ
１６６  プログラム命令
１６８  プログラム命令
１７０  データ
１７２  プログラム命令
１７４  光センサ
【図１】
2010524070.tif 000003
【図２】
2010524070.tif 000004
【図３】
2010524070.tif 000005
【図４】
2010524070.tif 000006
【図５】
2010524070.tif 000007
【図６】
2010524070.tif 000008
【図７】
2010524070.tif 000009
【図８】
2010524070.tif 000010
【図９】
2010524070.tif 000011
【図１０】
2010524070.tif 000012
【図１１】
2010524070.tif 000013
【図１２】
2010524070.tif 000014
【図１３】
2010524070.tif 000015
【図１４】
2010524070.tif 000016
【図１４ｂ】
2010524070.tif 000017
【図１５】
2010524070.tif 000018
【図１５ｂ】
2010524070.tif 000019
【図１６】
2010524070.tif 000020
【図１７】
2010524070.tif 000021
【国際調査報告】
2010524070.tif 000022
2010524070.tif 000023
2010524070.tif 000024
2010524070.tif 000025
2010524070.tif 000026
2010524070.tif 000027
2010524070.tif 000028
2010524070.tif 000029
2010524070.tif 000030
2010524070.tif 000031
2010524070.tif 000032
2010524070.tif 000033